(57)【要約】【課題】引掛シーリングの破壊を防止して品質を向上できる照明器具を提供する。【解決手段】照明器具１０は、天井面１に設置される引掛シーリング２に機械的および電気的に接続される一対の電極刃１５を有する器具本体１１と、器具本体１１に被される透過性のカバー１３と、器具本体１１を支持し、引掛シーリング２の側面５，６に当接するアダプタ１２とを備える。【選択図】図１
2012226940.tif 000002
【特許請求の範囲】
【請求項１】
天井面に設置される引掛シーリングに機械的および電気的に接続される一対の電極刃を有する器具本体と、
前記器具本体に被される透過性のカバーと、
前記器具本体を支持し、前記引掛シーリングの側面に当接するアダプタとを備える照明器具。
【請求項２】
請求項１に記載の照明器具において、
前記アダプタは、前記器具本体の回動を規制する回動規制手段を備える照明器具。
【発明の詳細な説明】
【技術分野】
【０００１】
本発明は、例えば浴室の壁面や天井面に設置されるシーリングライト等の照明器具に関する。
【背景技術】
【０００２】
従来より、器具本体に支持される取付部材の上面に一対の電極刃を有し、一対の電極刃が天井面に設置されている引掛シーリングの電極刃挿入孔に挿入されて、取付部材が回動される照明器具が知られている（例えば、特許文献１参照）。
特許文献１は、取付部材の回動に伴い、電極刃が引掛シーリングに有する電極に機械的および電気的に接続される。
【先行技術文献】
【特許文献】
【０００３】
【特許文献１】特開２００５−１０９２２８号公報（図１、段落００２８）
【発明の概要】
【発明が解決しようとする課題】
【０００４】
ところで、特許文献１と同様に、天井面に設置されている引掛シーリングに取り付けられ照明器具が提案されている。
図９に示すように、このような従来の照明器具１００は、天井面１に設置されている引掛シーリング２の不図示の電極刃挿入孔に、器具本体１０１の上面に有する一対の電極刃１０２が挿入される。
【０００５】
そして、このような従来の照明器具１００は、器具本体１０１が一対の電極刃１０２とともにあらかじめ定められた角度だけ回動されることにより、電極刃１０２が引掛シーリング２に有する不図示の電極に機械的および電気的に接続される。
次に、このような従来の照明器具１００は、カバー１０３が器具本体１０１の外側にねじ込まれることによりカバー１０３が器具本体１０１の外側を覆って取り付けられる。
【０００６】
しかし、このような従来の照明器具１００は、カバー１０３を器具本体１０１にねじ込むに際し、カバー１０３に対する外力のねじ込み荷重が引掛シーリング２にかかることがある。
そのため、このような従来の照明器具１００は、引掛シーリング２に規定値を超えた大きな回動力が与えられて引掛シーリング２が破損することがありうる。
【０００７】
また、このような従来の照明器具１００は、カバー１０３を器具本体１０１にねじ込むことによりカバー１０３が器具本体１０１に取り付けられる。
そのため、前述と同様にして、引掛シーリング２にかかるねじ込み荷重により、引掛シーリング２が破損することがありうる。
【０００８】
本発明は、前述した課題を解決するためになされたものであり、その目的は、アダプタにより引掛シーリングの破壊を防止して品質を向上できる照明器具を提供することにある。
【課題を解決するための手段】
【０００９】
本発明に係る照明器具は、天井面に設置される引掛シーリングに機械的および電気的に接続される一対の電極刃を有する器具本体と、前記器具本体に被される透過性のカバーと、前記器具本体を支持し、前記引掛シーリングの側面に当接するアダプタとを備える。
【００１０】
本発明に係る照明器具は、前記アダプタは、前記器具本体の回動を規制する回動規制手段を備える。
【発明の効果】
【００１１】
本発明に係る照明器具によれば、アダプタにより引掛シーリングの破壊を防止して品質を向上できるという効果を奏する。
【図面の簡単な説明】
【００１２】
【図１】本発明に係る第１実施形態の照明器具の分解斜視図
【図２】本発明に係る第１実施形態の照明器具の器具本体の正面図
【図３】本発明に係る第１実施形態の照明器具の器具本体の平面図
【図４】本発明に係る第１実施形態の照明器具のアダプタの底面図
【図５】本発明に係る第１実施形態の照明器具のアダプタの平面図
【図６】本発明に係る第１実施形態の照明器具のアダプタの一部破断側面図
【図７】本発明に係る第１実施形態の照明器具の引掛シーリングとの組付けを説明する斜視図
【図８】本発明に係る第２実施形態の照明器具の引掛シーリングとの組付けを説明する斜視図
【図９】従来の照明器具の垂直断面図
【発明を実施するための形態】
【００１３】
以下、本発明に係る複数の実施形態の照明器具について図面を参照して説明する。
（第１実施形態）
図１に示すように、本発明に係る第１実施形態の照明器具１０は、器具本体１１と、アダプタ１２と、カバー１３とを備える。
照明器具１０は、器具本体１１の上端部にＬ字形状に屈曲された一対の電極刃１４と同じく回動規制手段の一方を構成する一対のボス１５とを備える。
【００１４】
一対の電極刃１４は、天井面１に設置されている引掛シーリング２に有する電極刃挿入孔３に挿入されて、電極挿入孔３内に収容されている不図示の電極に機械的および電気的に接続される。
引掛シーリング２は、四角形であって、長辺側の側面５と短辺側の側面６と底面７とをシーリングボディ４に有し、底面７にあらかじめ定められた角度範囲を有する円弧形状の一対の電極挿入孔３を有する。
【００１５】
器具本体１１は、例えばＡＤＣ１２等の金属材料により成形されて白色に染色されており、底部のＬＥＤ取付面１６に不図示の複数のＬＥＤが封止されたＬＥＤユニット１７が取り付けられる。
器具本体１１は、その内部に、不図示の電源ユニットが収容される。
電源ユニットは、ＬＥＤユニット１７に有する不図示のＬＥＤ基板のプリント回路に接続されるとともに、一対の電極刃１４に接続される。
【００１６】
アダプタ１２は、例えば硬質の樹脂製であって、その中央部に、引掛シーリング２のシーリングボディ４が挿入される引掛シーリング挿入部１８が形成される。
引掛シーリング挿入部１８は、長辺側の側板１９と短辺側の側板２０とを有する四角形の孔形状である。
【００１７】
カバー１３は、例えば乳白色等の透過性を有するポリメタクリル酸メチル樹脂（ＰＭＭＡ）等の樹脂材料により円筒形状に形成される。
カバー１３は、周板２１を有し、この周板２１の内面に雌ねじ部２２を有する。
【００１８】
図２および図３に示すように、器具本体１１は、円柱形状に形成されており、上端面２３の対向する位置に一対の電極刃１４が配置されており、これら電極刃１４の間の対向する位置に一対のボス１５が配置される。
器具本体１１は、外周面２４の上端部寄りに雄ねじ部２５が形成される。
【００１９】
図４に示すように、アダプタ１２は、周板２６と底板２７とを有して引掛シーリング２よりも十分に大きい外形の円柱形に形成されており、底面２７の中央部に引掛シーリング挿入部１８を配置する。
そして、アダプタ１２は、底板２７の引掛シーリング挿入部１８の両外側に回動規制手段の他方を構成するあらかじめ定められた角度範囲を有する円弧形状の一対のボス孔２８を有する。
ここで、一対のボス孔２８が有する円弧の角度範囲は、引掛シーリング２の一対の電極挿入孔３と同等である。
【００２０】
図５および図６に示すように、引掛シーリング挿入部１８は、長辺側の側板１９と短辺側の側板２０との外側に、複数のリブ２９を有する。
そのため、複数のリブ２９が周板２６の内周側に引掛シーリング挿入部１８の側板１９と側板２０とを支持するために、引掛シーリング挿入部１８が剛性を高められて変形を防止できる。
【００２１】
次に、照明器具１０の引掛シーリング２への取付手順について説明する。
図７に示すように、まず、アダプタ１２の引掛シーリング挿入部１８に引掛シーリング２を挿入してアダプタ１２が引掛シーリング２の外側に被される。
アダプタ１２は、この状態を保持され、下方から器具本体１１が進行される。
器具本体１１は、一対の電極刃１４が引掛シーリング２の一対の電極刃挿入孔３に挿入される。
同時に、器具本体１１は、一対のボス１５がアダプタ１２の一対のボス孔２８に挿入される。
【００２２】
そして、器具本体１１は、一対の電極刃１４が引掛シーリング２の一対の電極刃挿入孔３内の一対の電極に接続されるまで、あらかじめ定められた角度だけ回動される。
器具本体１１の回動に伴い、一対のボス１５もアダプタ１２の一対のボス孔２８内を回動する。
そして、一対の電極刃１４が引掛シーリング２の一対の電極刃挿入孔３内の一対の電極に電気的および機械的に接続される。
このとき、器具本体１１の回動に伴い、アダプタ１２の引掛シーリング挿入部１８の長辺側の側板１９が引掛シーリング２の長辺側の側面５に当接している。
【００２３】
同時に、アダプタ１２の引掛シーリング挿入部１８の短辺側の側板２０が引掛シーリング２の短辺側の側面６に当接している。
従って、器具本体１１は、アダプタ１２により回動を規制されるために、器具本体１１に対する外力の回動力が引掛シーリング２に直接伝わらない。
その後に、カバー１３が器具本体１１の外側に被されて回動されることにより、カバー１３の雌ねじ部２２が器具本体１１の雄ねじ部２５にねじ込まれてカバー１３が器具本体１１に取り付けられる。
【００２４】
以上、説明したように第１実施形態の照明器具１０によれば、アダプタ１２により、器具本体１１に対する外部の回動力が引掛シーリング２に直接伝わらないために、引掛シーリング２の破壊を防止して品質を向上できる。
【００２５】
また、第１実施形態の照明器具１０によれば、器具本体１１の回動に伴い、一対のボス１５がアダプタ１２の一対のボス孔２８内を回動することにより、器具本体１１が回動を規制される。
従って、第１実施形態の照明器具１０によれば、器具本体１１に対する外部の回動力が引掛シーリング２に直接伝わらないために、引掛シーリング２の破壊を防止して品質を向上できる。
【００２６】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２７】
図８に示すように、本発明に係る第２実施形態の照明器具５０は、器具本体５１が、上端面２３の一対の電極刃１４の間の対向する位置に回動規制手段の一方を構成するあらかじめ定められた角度範囲を有する円弧形状の一対のボス孔５２を有する。
そして、アダプタ５３が、底板２７の引掛シーリング挿入部１８の両外側に回動規制手段の他方を構成する一対のボス５４を有する。
【００２８】
第２実施形態の照明器具５０によれば、回動される器具本体５１側に、一対の電極刃１４のみが突出するために、器具本体５１をアダプタ５３に対して位置合わせしやすい。
【００２９】
なお、本発明の照明器具においてＬＥＤユニット，引掛シーリング等は、前述した各実施形態に限定されるものでなく、適宜な変形や改良等が可能である。
【符号の説明】
【００３０】
１  天井面
２  引掛シーリング
５，６  側面
１１，５１  器具本体
１２，５３  アダプタ
１３  カバー
１４  電極刃
１５，５４  ボス（回動規制手段）
２８，５２  ボス孔（回動規制手段）
【図１】
2012226940.tif 000003
【図２】
2012226940.tif 000004
【図３】
2012226940.tif 000005
【図４】
2012226940.tif 000006
【図５】
2012226940.tif 000007
【図６】
2012226940.tif 000008
【図７】
2012226940.tif 000009
【図８】
2012226940.tif 000010
【図９】
2012226940.tif 000011